(57)【要約】【課題】携帯用の小型電子機器をクレードル上に載置し長時間使用して電子機器のケーシング温度が上昇してもクレードルを介して熱を放出できる電子機器装置を得る。【解決手段】電子機器１の開口部５４に接して配設した枠部材４２の底面板４１Ｄを介してクレードル２の半円状凹部の接触部５５に伝達された熱をクレードル２の背面に設けた放熱部から放出させる。【選択図】        図１
2005039019.tif 000002
【特許請求の範囲】
【請求項１】
ケーシングに発熱手段が内蔵された電子機器をクレードルに載置し、各種動作を行なわせる様に成した電子機器装置であって、
上記電子機器の上記発熱手段で生ずる熱を上記ケーシングを介して上記クレードルに伝え、該クレードルを介して上記発熱手段から発生する熱を放出させる様に成したことを特徴とする電子機器装置。
【請求項２】
前記電子機器と前記クレードル間の接合状態を増強させる接合増強手段を有して成ることを特徴とする請求項１記載の電子機器装置。
【請求項３】
前記接合増強手段を介して前記ケーシングから伝達された熱を前記クレードル側に伝達させて成ることを特徴とする請求項１記載の電子機器装置。
【請求項４】
前記接合増強手段がガイドピンであることを特徴とする請求項２又は請求項３記載の電子機器装置。
【請求項５】
前記接合増強手段が磁石等の電気的吸着手段であることを特徴とする請求項２乃至請求項４記載のいずれか１項記載の電子機器装置。
【請求項６】
前記接合増強手段が前記電子機器に機械的に押圧力を与える押圧手段であることを特徴とする請求項２乃至請求項５記載のいずれか１項記載の電子機器装置。
【請求項７】
前記ケーシング内に設けた前記発熱手段の放熱を熱伝導率の大きい金属枠部材に伝達し、該金属枠部材を介して前記クレードルに熱伝達する様に成したことを特徴とする請求項１乃至請求項６記載のいずれか１項記載の電子機器装置。
【請求項８】
ケーシングに発熱手段が内蔵された電子機器をクレードルに載置し、各種動作を行なわせる様に成した電子機器装置の放熱方法であって、
上記電子機器の上記発熱手段で生ずる熱を上記ケーシングを介して上記クレードルに伝え、該クレードルを介し上記発熱手段から発生する熱を放出させる様に成したことを特徴とする電子機器装置の放熱方法。
【発明の詳細な説明】
【０００１】
【発明の属する技術分野】
本発明はデジタルカメラ等の撮像手段を有し、撮像画像を記録媒体へ記録、再生を行なう記録、再生駆動ユニット等の発熱部材を内蔵し、この発熱部材からの熱をクレードルを介して放熱させる様に成した電子機器装置及び電子機器装置の放熱方法に関する。
【０００２】
【従来の技術】
従来から、デジタルカメラを通信ケーブルを介してコンピュータ（ＣＰＵ）等に接続する場合に、例えばＵＳＢ（Ｕｎｉｖｅｒｓａｌ  Ｓｅｒｉａｌ  Ｂａｓ）やＩＥＥＥ１３９４ケーブル等の通信ケーブルが接続されたクレードルが知られている旨の記載が特許文献１に開示されている。
【０００３】
又、デジタルカメラや、ハンドヘルド型コンピュータ等の携帯型電子機器では、デスクトップ型コンピュータ等の外部機器への接続に、電子機器が装着される台状のドッキングステーションが用いられるものがある。このドッキングステーションには、電子機器と電気的に接続するためのコネクタと、外部機器との接続に用いられるコネクタとが設けられており、電子機器と外部機器との接続を容易にすることができる。また、電子機器本体のコネクタを省略することで、電子機器の小型化を図ることもできる。
【０００４】
更に、ドッキングステーションにＡＣ電源アダプタを接続してドッキングステーションを介して電子機器に電源供給を行なうとともに、電子機器内のバッテリに充電を行なうものもある旨の記載が特許文献２に開示されている。本発明では上述のクレードル及びドッキングステーションを含めて以下クレードルと記載して説明を進める。
【特許文献１】
特開２００２−３５９７６１号公報〔図１及び段落番号０００２〕
【特許文献２】
特開２００２−２３２７５０号公報（Ｐ２００２−２３２７５０Ａ）｛図１、段落番号０００１、０００２｝
【０００５】
【発明が解決しようとする課題】
上述の従来技術で説明した様な携帯用の電子機器ではクレードル上に長時間に記録、再生動作や充電動作等を行なわせた場合には電子機器内の発熱手段（例えば、ＣＣＤ等）からの熱は機器が小型化されているため、電子機器のケーシング等を介して放出される熱は限定されるため、電子機器が高温となる課題を有していた。
【０００６】
本発明は叙上の課題を解消するために成されたもので、発明が解決しようとする課題はクレードルに放熱機能を持たせて、携帯用の電子機器から放出される熱をクレードルに伝達し、このクレードルを介して放出させる様に成した電子機器装置及び電子機器装置の放熱方法を得ることを目的とするものである。
【０００７】
【課題を解決するための手段】
本発明の電子機器装置及び電子機器装置の放熱方法はクレードル上に載置される電子機器からの放出熱をクレードルに設けた放射手段を介して放出させる様に成したものである。
【０００８】
本発明の電子機器装置はケーシングに発熱手段が内蔵された電子機器をクレードルに載置し、各種動作を行なわせる様に成した電子機器装置であって、電子機器の発熱手段で生ずる熱をケーシングを介してクレードルに伝え、このクレードルを介して発熱手段から発生する熱を放出させる様に成したものである。
【０００９】
本発明の電子機器装置の放熱方法はケーシングに発熱手段が内蔵された電子機器をクレードルに載置し、各種動作を行なわせる様に成した電子機器装置の放熱方法であって、電子機器の発熱手段で生ずる熱をケーシングを介してクレードルに伝え、このクレードルを介し発熱手段から発生する熱を放出させる様に成したものである。
【００１０】
斯かる、本発明の電子機器装置及び電子機器装置の放熱方法に依れば、クレードル上に載置した電子機器の放熱をクレードルを介して効果的に放熱することが出来る。
【００１１】
【発明の実施の形態】
以下、本発明の電子機器装置及び電子機器装置の放熱方法を図１乃至図１２を用いて詳記する。
【００１２】
本発明に用いる電子機器として、記録媒体を記録再生する記録・再生駆動ユニット（ＨＤＤ、ＦＤＤ、光ピックアップ駆動ユニット、フラッシュメモリ等）及びＣＣＤ等の撮像手段としてのカメラをケーシング内に設けた電子機器をクレードルに載置した電子機器装置について説明する。
【００１３】
図１は本発明の電子機器並びにクレードルの載置方法を示す略線的斜視図、図２は図１（Ｂ）に示すクレードルの底面図及び電子機器とクレードルの接触面の側断面図、図３は本発明の電子機器に用いる放熱手段からの放熱機構を説明するための分解図及び組立斜視図、図４は本発明の電子機器に用いる他の放熱手段からの放熱方法を説明するための略線的斜視図及び側断面図、図５は本発明の電子機器に用いるＨＤＤユニットの外観図、図６は図５に説明した放熱手段を用いた不要輻射の除去方法を説明するための側断面図、図７は本発明の電子機器装置に用いるクレードルの回転機構を説明するための斜視図及び動作説明側面図、図８は本発明の電子機器装置に用いるクレードルのスタンドを説明するための斜視図、図９はクレードルの底面及びスタンドに設けた検出センサスイッチ説明用の一部側断面図、図１０は本発明に用いる電子機器の外観の１例を示す正面図、図１１は本発明に用いる電子機器の外観の１例を示す裏面図及び側面図、図１２は本発明の電子機器装置の系統図である。
【００１４】
図１０及び図１１は本発明の電子機器の六面の平面図を示すものであり、電子機器とコンピュータ（以下ＣＰＵと記す）間はクレードル（Ｃｒａｄｌｅ）２（図１（Ｂ）参照）を介して信号の授受が行なわれる。
【００１５】
図１０（Ａ），（Ｂ）及び図１１（Ｃ）〜（Ｆ）に於いて、１はＨＤＤユニットを内蔵しカメラ部５を有する電子機器を示し、電子機器１で撮像した画像データ等を送受信するための載置架台となるクレードル２は、図１（Ｂ）に示す様に合成樹脂等で成型された載置台上の半円状凹部１０上に電子機器１の上下面に形成した大きなＲ（略１０Ｒ）の曲面と成された半円状部９が嵌り合う様に載置されることで電子機器装置４０（図８（Ａ）参照）が構成される。
【００１６】
図１０（Ａ），（Ｂ）及び図１１（Ａ）〜（Ｆ）に於いて電子機器１は本体３となる筐体の下端側に配設した枢軸４に回動自在に枢着されたカメラ部５とで構成される。このカメラ部５は図３（Ｂ）及び図８（Ａ）に示す様に枢軸４を中心に本体３に対し略１８０度回転可能でレンズ６を手前側或は背面側までの所定位置に設定することができる。
【００１７】
本体３の前面側には液晶表示装置（以下ＬＣＤユニットと記す）７や各種操作釦群８が配設され、このＬＣＤユニット７のパネル面に透明導電膜等からなるタッチパネルユニット３７が配され、ＬＣＤユニット７と略平行する様に薄型のＨＤＤユニット（図３（Ａ）参照）１９が配設され、操作釦群８の左側にはＨＤＤユニット１９のアクセス用のＬＥＤ１２等が配設されて、ＨＤＤユニット１９のアクセス状態の監視を本体３の外側から可能と成されている。
【００１８】
又、図１（Ｃ）の様に本体３の半円状部９がクレードル２の半円状凹部１０に嵌め込まれることで電気的接続が成され、クレードル２の映像端子、音声端子、ＵＳＢ端子（図１２参照）を介してＣＰＵやＣＲＴ等へ入出力される。このクレードル２は充電回路も内蔵され、充電装置としても兼用できて、スタンド１１を介して載置面に対し傾斜して配置可能である。
【００１９】
本体３を構成するケーシング４１は略直方体状に形成され、そのパネル板４１Ｆ及び後面板４１Ｂは図３（Ａ）に示す様に略箱型のチタン合金、合成樹脂等の熱伝導率の小さい材質のケーシングが選択されているので内部の発熱手段である例えはＨＤＤユニット等が発熱してもこれらパネル板４１Ｆ及び後面板４１Ｂに手を触れても熱くない様に成されている。
【００２０】
又、本体３の左右側板４１Ｌ，４１Ｒ（図３（Ａ）、（Ｂ）参照）は図３（Ａ）に示す様にマグネシウム合金、アルミニウム、ジュラルミン等の様に熱伝導率の大きい材質の略断面を口字状とした枠部材４２で構成し、この枠部材４２内に図３（Ａ）の様に発熱手段となるＨＤＤユニット１９や、メイン基板４３等が順次挿入され、枠部材４２に熱が伝達する様に保持されると共にパネル板４１Ｆ及び後面板４１Ｂが枠部材４２に一部被せる様に接合することでケーシング４１が構成される。
【００２１】
従って、ケーシング４１の左側板４１Ｌは図３（Ｂ）に示す様にカメラ部５を枢軸４を中心に回動させた時に表面に露出し、この様なケーシング４１の脇部分から発熱手段の熱が放出される。勿論、右側板４１Ｒからも外部に枠部材４２を介して伝達された熱は本体３の外部に放出する様にしてもよい。
【００２２】
右側板４１Ｒには電子機器１を駆動するための一次電池やバックアップ用の二次電池を挿入する開口部が穿たれて、電池蓋４５が開閉可能に枢着されている。
【００２３】
カメラ部５内にはレンズ６等の光学系とＣＣＤ等の光電変換手段が内蔵され、カメラケーシング４６は本体３と同様に偏平な縦長の略直方体状に形成され図１（Ａ）で前板及び背面板はチタン合金板で、左右側面はマグネシウム合金板で構成されている。
【００２４】
又、半円状部９と成された本体３とカメラ部５間を図１（Ａ）で左右方向に摺動可能にカメラ部５のレンズ６のシャッタと成るスライド蓋４７を有する。このスライド蓋４７は図１（Ａ）及び図１（Ｅ）では開蓋状態を示している。
【００２５】
本体３側のスライド蓋４７の下側には収音用のマイクロホン（図示せず）が設けられ、スライド蓋４７に穿った収音孔４８を通じて撮像時の周囲音響信号を収音する。
【００２６】
スライド蓋４７はケーシング４１及びカメラケーシング４６の上部の半円状部９と同様に、大きなＲの上側に凸状の曲面状に構成され、図１１（Ｅ）でスライド蓋４７を右方向にスライドさせれば、レンズ６をスライド蓋４７が覆って、本体３とカメラ部５を１体化した偏平な略直方体状のケーシングと看なされる電子機器が構成できる。又、図１１（Ｅ）で５０はシャッタ釦を示している。
【００２７】
又、図１０（Ａ）及び図１１（Ｆ）に示す状態でカメラ部５を枢軸４を中心に図１０（Ａ）では紙面に対し前後に、図１１（Ｆ）では上下方向に回動させれば図３（Ｂ）、図８（Ａ）に示す様に本体３に対し前後方向に略１８０度の範囲で回動させることが出来る。勿論、カメラ部５は本体３に対し、クリックモーション的に所定角度で係止できる様に構成されている。
【００２８】
更に、本体３の底面は図１１（Ｆ）に示す様にケーシング４１を構成するパネル板４１Ｆと後面板４１Ｂとを互につき合せた時に開口部５４が形成される様にプレスされている。
【００２９】
従って、この開口部５４からは図３で説明した熱伝導率の大きい枠部材５２の底面板４１Ｄが露出することになる。５２はこの底面板４１Ｄに配設したガイド基板で、このガイド基板５２にガイドピン用のガイドピン孔５３が穿たれている。
【００３０】
図１２は本発明の電子機器装置４０の全体的な系統図であり、図１０及び図１１との対応部分には同一符号を付して説明を進める。
【００３１】
電子機器１のカメラ部５内にはレンズ６の光学系を介して撮像した被写体像をＣＣＤ１３等の撮像素子に投射し、ＣＣＤ１３で電気信号に変換された映像信号、マイクロホンで収音された音声信号等は前置増幅回路１４及びカメラ及音声信号処理回路１５等を介してメインコンピュータで構成した制御回路３６に接続したバスライン１８に供給される。
【００３２】
バスライン１８にはインタフェース２０，２２，２４を介してＨＤＤ（記録・再生駆動ユニット）１９、バッファメモリ２１、メモリカード２３が接続され、制御回路３６を介してバッファメモリ２１やＨＤＤ１９に格納した映像信号や音声信号のデータをモニタ駆動回路１６を介してモニタ用のＬＣＤユニット７に映像信号を表示すると共に、ＬＣＤユニット７のパネル面に設けたタッチパネルユニット３７によってメニュー指示等が行なわれる。又スピーカ駆動回路２７及びスピーカ２８を介して音声信号を放音し、必要に応じてクレードル２内の映像信号処理回路３１、音声信号処理回路３２、インタフェース３３を介して映像信号、音声信号、ＵＳＢ信号を外部に出力する。
【００３３】
クレードル２はプラグ３５を介してＡＣの外部電源３４を電源回路３０でＡＣ−ＤＣ変換し、電子機器１の本体３内に配設した電源回路２５に与えられ、上述の各回路の電圧源として動作させている。
【００３４】
上述の如き電子機器１を用いて電子機器１のＨＤＤユニット１９等が放出する熱をクレードル２に設けた放熱手段を介して放熱させる方法を図１及び図２によって説明する。
【００３５】
図１（Ａ）は上述の電子機器１を底面側から視た斜視図であり、本体３のケーシング４１の底面に形成された開口部５４からは図３（Ａ）で説明した枠部材４２の底面部４１Ｄが露出している。
【００３６】
一方、本例に用いるクレードル２の載置面に形成した半円状凸部１０の底部には本体３側のケーシング４１の底面部４１Ｄと接触して、ＨＤＤユニット１９からの熱を枠部材４２に伝達する金属性の接触部５６を形成する。この接触部材５６には本体３のガイドピン孔５３に挿入されるガイドピン５７を立設すると共にコネクタ５１と結合するジャック又はプラグから成るコネクタ５８が配設されている。尚５９は図７（Ａ）乃至（Ｃ）で説明するが、必要に応じて取り付けられ背受けであり、断面略Ｕ字状に形成されている。この背受け５９を熱伝導率の良い金属で構成して、本体３の底面板４１Ｄからの熱をこの背受け５９に伝達させる様にしてもよい。
【００３７】
上述の様に接触部５６や背受け５９に伝達されたＨＤＤユニット１９等の熱は図２（Ａ）に示すクレードル２の底面６１に形成した放熱部６０から放熱させる。この放熱部６０は上述の接触部５６や、背受け５９と熱的には導通していることは勿論であり、放熱部６０には必要に応じてフィン等を設けたり、ファン等を配設して、強制空冷する様にしてもよい。図２（Ａ）の場合は底部６１にゴム脚６２が設けられているのでクレードル２の底部６１と載置面との間に空隙を介して熱対流を促進させることができる。６３は後述するもクレードルを傾けて配置させるために設けたスタンドである。
【００３８】
図２（Ｂ）はクレードル２に配設した接触部５６に立設したガイドピン５７が本体３側の底面板４１Ｄに穿ったガイドピン孔５７に挿入された状態の側断面を示しているが、この様なガイドピンを金属で構成し、ガイドピン５７からも熱交換を行なうことでより効果的な放熱が可能となる。
【００３９】
図２（Ｃ）は本体３側の底面部４１Ｄとクレードル２側の接触部５６とに対向面が異極性となる様に着磁した磁石６４を設けて、互の接触面がより密接に結合する様な接合増強手段を配設したものであり、これらの接合増強手段は図２（Ｃ）の様にガイドピンとの組合せであってもよいし、磁石６４だけであってもよい。
【００４０】
図２（Ｄ）は接合増強手段の更に他の構成を示すものであり、図２（Ｄ）ではクレードル２側の接触部５６の接触表面及び本体３の底面板４１Ｄの接触表面に互に接触面積を増大させる為の凹凸部６６及び６７を形成させて、互に噛み合せる様に接触部５６をスプリング６８を介して矢印Ａ方向に押圧する様な偏倚力を与えて、熱伝達時の効率を高める様に成したものである。
【００４１】
上述の各構成に依ると電子機器１をクレードル２上に載置した状態で例えばテレビ会議等で長時間に亘って使用しても、クレードル２を介して確実な熱放射を行なうことができるので電子機器の長時間使用が可能となる。
【００４２】
次に、図１０（Ａ），（Ｂ）及び図１１（Ｃ）〜（Ｆ）で説明したが、本体３のケーシング４１或はカメラケーシング４６内の発熱手段が放出する熱をこれらケーシング外に放出させる１形態例を図３（Ａ）、（Ｂ）によって詳記する。
【００４３】
図３（Ａ）は本体３の分解斜視図を示すものであり、図３（Ｂ）は本体３の組立状態とカメラ部５を後面側に回動させた電子機器１の斜視図を示すものである。
【００４４】
図３（Ａ）、（Ｂ）に於いて、ケーシング４１を構成する略箱型のパネル板４１Ｆ及び後面板４１Ｄはユーザ等が手で保持する部分であるので熱伝導率の悪いチタン素材を用いて所定形状に形成する。この様な素材を選択することで、使用者の低温火傷を防ぐことが出来ると共に軽量であることと高級感を持たせることが出来る。
【００４５】
又、鍛造により剛性の高いマグネシウム合金から成る枠部材４２を略口字状に構成し、この枠部材４２を基本骨格とし、発熱源であるＨＤＤユニット１９、メイン基板４３等の発熱部品を枠部材４２内に落し込みながら、この枠部材４２に固定して行き、最後に剛性があり軽量なチタンで構成したパネル板４１Ｆ及び後面板４１Ｂで枠部材に固定し、一体化させることでより剛性の優れた電子機器１用のケーシング４１が得られる。
【００４６】
又、枠部材４２を構成する左側板４１Ｌ部分及び底面部４１Ｄがケーシング４１を構成するパネル板４１Ｆ及び後面板４１Ｄに設けた開口部７０及び５４を介して露出しているために、図３（Ｂ）の様に撮像時にカメラ部５を枢軸４を中心に回動させて使用している時等は左側板４１Ｌに触ることがないので、この部分や底面板４１Ｄ部分からＨＤＤユニット１９等の発した熱を放出させることが出来る。
【００４７】
上述の構成に依れば、ＨＤＤユニット等は鍛造製の枠部材４２で保護されているので衝撃や落下させた時のショックに強い構成が得られるだけでなくメイン基板４３等の組立は枠部材４２内に落し込むだけなので組立作業性が向上し、本体を持ち歩く場合、手に触れる部分が熱くならない構造とすることが出来る。
【００４８】
次に、図３（Ａ）に示したメイン基板４３を薄型化し、メイン基板４３に載置した発熱部品から発生する熱を有効に放出させる方法を図４（Ａ）、（Ｂ）によって説明する。
【００４９】
図４（Ａ）は図３（Ａ）で説明したマグネシウム合金等で鍛造した枠部材４２の枠内にメイン基板４３を落し込みながら枠部材に固定する場合の略線的斜視図であり、図４（Ｂ）はＡ−Ａ矢視方向からの側断面図である。従来のメイン基板４３は両面に各種部品がマウントされていた為に、これら両面から発熱された基板からの熱を逃がすためには、発熱源の部品表面に凹凸を吸収するための熱伝導シート等の熱伝導率の良い貼り物を介して、放熱板に熱を伝えるため基板の総厚みは部品を両面マウントするため片側マウント高さ分（約１．５ｍｍ程度）電子機器１のケーシング４１が厚くなってしまう問題があったが、本例ではメイン基板４３の片面のみに部品７１を集約し、他方の面には熱伝導率が高く、薄い（０．３ｍｍ）銅板７２を貼着させて接地電位とする様に成している。勿論、銅板７２部分は所定の熱伝導率の良い金属を蒸着させる様にしても良い。
【００５０】
この銅板７２には所定位置に折曲部７３及び７４を形成して、この折曲部７３，７４を枠部材４２の左右側板４１Ｌ，４１Ｒ或は底面板４１Ｄに固定し、放熱させることでユーザが手を触れない部分から効果的な放熱を行なう様に成されている。
【００５１】
上述の様に構成すると枠部材４２内に挿入するメイン基板４３の薄型化が図られ、ケーシングから露出させた枠部材４２の底面板４１Ｄや左側板４１Ｌからケーシング４１外に効果的な放熱を行なうことができるだけでなく片面に貼着或は蒸着させた銅板によって放熱と合せて部品類から放射される不要輻射を防止可能なシールド部材としての機能を果たすことも出来る。
【００５２】
更に、図３で説明したＨＤＤユニット１９の放熱方法と、このＨＤＤユニット１９の金属ケースを利用してメイン基板４３に搭載した部品の不要輻射を有効に防止する方法を図５及び図６を用いて説明する。図５（Ａ）は熱発生源となるＨＤＤユニット１９の一方の面を示す外観図、図５（Ｂ）は他方の面を示す外観図であるが、ＨＤＤユニット１９では図５（Ｂ）の様に合成樹脂材料で構成されるＨＤＤ駆動プリント基板７５上にＨＤＤ駆動に必要な各部品を組み上げた後に箱型のアルミケーシング７６内に、このＨＤＤ駆動用プリント基板７５を組み込む様に成されている。尚７７はフレキシブル基板７８を介して接続された入出力用のコネクタである。
【００５３】
本例では、上述のＨＤＤユニットのアルミケーシング７６の周辺部を図３（Ａ）で説明した枠部材４２に接する様に配設させることでＨＤＤユニット１９で発生した熱を枠部材４２を介してケーシング４１の外に放出可能と成る。
【００５４】
又、メイン基板４３に設けた銅板７２とＨＤＤユニット１９のアルミケーシング７６とを用いてＨＤＤユニット基板１９の搭載部品及びメイン基板４３の搭載部品の両方からの不要輻射を図６（Ａ）の様に配設することで防止することができる。又、メイン基板４３の部品７１の不要輻射は図６（Ｂ）の様に配設することで防止することができる。
【００５５】
即ち、図６（Ａ）ではＨＤＤユニット１９のプリント基板７５側とメイン基板４３の銅板７２を隣り合せに枠部材４２内に並行に落し込み固定する。かくすればＨＤＤユニット１９のアルミケーシング７６とメイン基板４３の銅板７２によってＨＤＤユニット１９のプリント基板７５内の部品の不要輻射を防止可能と成る。又メイン基板４３に搭載した部品７１からの不要輻射は銅板７２とケーシング４１の金属部分間で不要輻射を遮蔽可能と成る。
【００５６】
図６（Ｂ）に示す場合はＨＤＤユニット１９のアルミケーシング７６とメイン基板４３の部品マウント面とを隣り合せに配置させる様にした場合で、この場合はアルミケーシング７６と銅板７１に依って部品７１からの不要輻射を遮蔽することが可能となる。
【００５７】
次に、図７乃至図９を用いて、図１で説明した背受け５９及びスタンド１１の構成及び動作を説明する。
【００５８】
図７（Ａ）の構成では半円状凹部１０に背受け５９をクレードル２の本体に対し、枢軸８０を中心に回動可能に枢着させる。この背受け５９に電子機器１を載置し背受け５９を図７（Ｂ）から図７（Ｃ）に示す様に反時計方向に回動させることでカメラ部５及び本体３の撮影アングルを自由に採ることが出来る。
【００５９】
図８（Ａ）〜（Ｃ）はクレードル２の背面に開閉自在に枢着したスタンドを利用してクレードル２に載置した電子機器１のカメラ部５のカメラアングルを載置面に対し水平或は下向きに出来る様に成したものである。
【００６０】
一般のテレビ会議等では電子機器を図８（Ｂ）の様にテレビ受像機等の上に乗せて使用するがこの場合、カメラ部２のカメラアングルは図８（Ｂ）の様に矢印Ｃ方向の様に上向きになる。そこで図８（Ａ）、（Ｃ）に示す様にスタンド１１を立てればカメラ部２のカメラアングルは矢印Ｄ，Ｅに示す様に略水平、或は下向きに調整可能となる。図７で説明した背受け５９を調整することと相まって、カメラアングルを自由に変化させることができる。
【００６１】
図９（Ａ）〜（Ｃ）は上述のクレードルの底面に設けたスタンド１１の収納部８３の一部に検出スイッチ８２を設け、スタンド１１を図９（Ｂ）の状態から図２（Ｃ）の様に立てた場合に検出スイッチ８２が動作し、ＵＳＢストリーミング機能を切り換える様にしたものであり、テレビ会議等で通常機能動作からテレビ会議用の機能に切り換えるためのスイッチ動作等をスタンド１１を開く１アクションで済ますことができる。
【００６２】
【発明の効果】
本発明の電子機器装置及び電子機器装置の放熱方法によると、クレードルに放熱機能を持たせて、携帯用の電子機器から放出される熱をクレードルに伝達し、このクレードルを介して放出させる様に成したので長時間に亘る電子機器の使用に際してもクレードルを介して効果的な放熱を行なうことができる。
【図面の簡単な説明】
【図１】本発明の電子機器並びにクレードルへの載置方法を示す略線的斜視図である。
【図２】図１（Ｂ）に示すクレードルの底面図及び電子機器とクレードルの接触面の側断面図である。
【図３】本発明の電子機器に用いる放熱手段からの放熱機構を説明するための分解斜視図及び組立斜視図である。
【図４】本発明の電子機器に用いる他の放熱手段からの放熱方法を説明するための略線的斜視図及び側断面図である。
【図５】本発明の電子機器に用いるＨＤＤユニットの外観図である。
【図６】図５に説明した放熱手段を用いた不要輻射の除去方法を説明するための側断面図である。
【図７】本発明の電子機器装置に用いるクレードルの回転機構を説明するための斜視図及び動作説明側面図である。
【図８】本発明の電子機器装置に用いるクレードルのスタンドを説明するための斜視図である。
【図９】クレードルの底面及びスタンドに設けた検出スイッチ説明用の一部側断面図である。
【図１０】本発明に用いる電子機器の外観の１例を示す正面及び側面図。
【図１１】本発明に用いる電子機器の外観の１例を示す裏面図及び側面図である。
【図１２】本発明の電子機器装置の系統図である。
【符号の説明】
１‥‥電子機器、２‥‥クレードル、３‥‥本体、５‥‥カメラ部、７‥‥ＬＣＤ、９‥‥半円状部、１０‥‥半円状凹部、４２‥‥枠部材、５６‥‥接触部、５７‥‥ガイドピン
【図１】
2005039019.tif 000003
【図２】
2005039019.tif 000004
【図３】
2005039019.tif 000005
【図４】
2005039019.tif 000006
【図５】
2005039019.tif 000007
【図６】
2005039019.tif 000008
【図７】
2005039019.tif 000009
【図８】
2005039019.tif 000010
【図９】
2005039019.tif 000011
【図１０】
2005039019.tif 000012
【図１１】
2005039019.tif 000013
【図１２】
2005039019.tif 000014